(57)【特許請求の範囲】
【請求項１】
画像形成装置において実行される複数の機能を実行可能に関連付けられた機能選択手段と、前記機能選択手段を表示する表示手段と、前記機能選択手段を前記表示手段に表示させる機能を有する表示制御手段とを具備する画像表示操作装置を備える画像形成装置において、
前記機能選択手段は、前記画像形成装置において選択された動作モードに応じて選択可能な機能の項目が表示された第１の機能選択手段と、前記第１の機能選択手段に係る機能以外で同時に選択可能なその他の機能の項目が表示された第２の機能選択手段とを備え、
前記表示制御手段は、前記第１の機能選択手段と前記第２の機能選択手段とを前記表示手段に同時に表示する機能を備え、
前記画像表示操作装置は、前記第１の機能選択手段により選択可能な機能と、前記第２の機能選択手段により選択可能な機能とを同時に選択可能とし、
前記第２の機能選択手段は、前記第１の機能選択手段に係る機能に関連する機能を実行可能に関連付けられており、
前記第１の機能選択手段は、前記第１の機能選択手段のそれぞれの機能に関連する機能を実行可能に関連付けられた詳細設定手段を備え、
前記第１の機能選択手段において特定の機能が選択されたときには、前記表示制御手段は、前記特定の機能に関連付けられた詳細設定手段を前記表示手段に表示するものであり、
前記第２の機能選択手段は、前記詳細設定手段のそれぞれの機能に関連する機能を実行可能に関連付けられた関連機能選択手段を備え、
前記詳細設定手段において特定の機能が選択されたときには、前記表示制御手段は、前記第２の機能選択手段を前記特定の機能に関連付けられた前記関連機能選択手段に切り換えて表示するものであることを特徴とする画像形成装置。
【請求項２】
前記関連機能選択手段において特定の機能が選択されたときには、前記表示制御手段は、前記特定の機能に関連付けられた詳細設定手段を前記表示手段に表示することを特徴とする請求項１に記載の画像形成装置。
【請求項３】
前記第１の機能選択手段は、仕上げ処理を設定する機能を実行可能に関連付けられ、
前記表示制御手段は、前記仕上げ処理を設定する機能に基づく画像の仕上がり状態を表示する仕上がり状態表示手段を備え、さらに、前記仕上がり状態表示手段により前記画像の仕上がり状態を表示するとともに、前記第２の機能選択手段を表示する機能を備えることを特徴とする請求項１に記載の画像形成装置。
【請求項４】
前記第２の機能選択手段は、前記仕上げ処理を設定する機能に関連する機能を実行可能に関連付けられ、
前記表示制御手段は、前記第２の機能選択手段における前記仕上げ処理を設定する機能に関連する機能から選択された機能に基づく処理を、前記仕上がり状態表示手段により表示された画像に反映させることを特徴とする請求項３に記載の画像形成装置。
【請求項５】
前記機能選択手段は、画像出力を指示する機能を実行可能に関連付けられた画像出力指示手段を備え、
前記表示制御手段は、前記仕上がり状態表示手段により画像の仕上がり状態を表示するときに、前記画像出力指示手段を前記第２の機能選択手段に近接して表示することを特徴とする請求項３または４に記載の画像形成装置。
【発明の詳細な説明】
【技術分野】
【０００１】
本発明は、複写機やプリンタ、ファクシミリ等の画像形成装置に係り、特に、入力された画像データに基づいて出力される画像の画像出力条件を設定する機能を備える画像形成装置に関する。
【背景技術】
【０００２】
最近の複写機は、デジタル複合機の特徴を提案すべく方法のひとつとして多彩な複写処理機能を搭載した製品として商品化されている。
【０００３】
例えば、デジタル複合機の一例として、画像データを追加入力する機能を有する入力手段と、前記入力手段により入力された画像データに基づいて画像出力を行う出力手段とを備え、前記出力手段により出力される画像の画像出力条件を設定する機能を備える画像形成装置が知られている。このような画像形成装置によれば、ジョブの実行前に出力される画像の画像出力条件の設定や変更を簡単に行うことができる。
【０００４】
しかしながら、近年の画像形成装置に搭載された多彩な機能を使いこなすためには、日頃から装置を使い慣れた利用者（ユーザ）でないと、複写処理条件の設定操作ミス等によってミスコピーとなってしまう場合があった。
【０００５】
そのため、画像形成装置に便利な機能が搭載されているにもかかわらず、使用者が実際に使用する機能は従来通りの機能に限られてしまったり、便利な機能は使われる回数も少なく、画像形成装置に搭載された機能をフルに活用されていないというのが現状である。
【０００６】
そこで、画像形成装置において、デジタル複合機として搭載されている機能を利用者が有効に利用できるように、利用者に対して搭載されている機能を案内する技術が提案されている（特許文献１を参照）。
【０００７】
特許文献１では、「機能ガイダンス表示機能」を備えることで、装置の利用状況から装置に搭載されている機能をセレクトして案内表示することにより、装置に搭載されている機能を利用者が積極的に利用できるように案内している。
【０００８】
具体的には、特許文献１において、利用者が原稿台上にブック原稿をセットしてコピーしようとしている場合は、ヒント情報として、例えば、１セット２コピー（見開きコピー）機能や枠消し機能の存在を示し、その機能がどのような機能であるかを確認するために画面がタッチされると、その機能に対するガイダンス情報を表示するようにしている。
【０００９】
さらに、機能を理解した利用者が所望する機能を選択すると、操作画面上で機能の選択が可能なパターンについても説明するようにしている。
【先行技術文献】
【特許文献】
【００１０】
【特許文献１】特開平１１−２８８３４４号公報
【発明の概要】
【発明が解決しようとする課題】
【００１１】
以上のように、特許文献１に記載の技術によれば、利用者に対して、画像形成装置に搭載された機能を案内したり選択したりすることが容易に行うことができる。
しかしながら、不慣れな利用者にとっては、機能の説明（機能説明の表示画面）を求めるためには、現在設定操作中の画面から別の画面へと遷移したり、別の表示画面として重ねて表示したりする必要があるため、操作に混乱をきたす虞があるという問題がある。
【００１２】
本発明は、上記従来の課題に鑑みてなされたものであり、画像形成装置に搭載された機能を使用する際に、装置に搭載された機能からユーザの所望する機能を容易に選択でき、操作性の向上を図るとともに、操作ミスなどによりミスコピーを無くすことができる画像形成装置を提供することを目的とする。
【課題を解決するための手段】
【００１３】
本発明は、画像形成装置において実行される複数の機能を実行可能に関連付けられた機能選択手段と、前記機能選択手段を表示する表示手段と、前記機能選択手段を前記表示手段に表示させる機能を有する表示制御手段とを具備する画像表示操作装置を備える画像形成装置において、
前記機能選択手段は、前記画像形成装置において選択された動作モードに応じて選択可能な機能の項目が表示された第１の機能選択手段と、前記第１の機能選択手段に係る機能以外で同時に選択可能なその他の機能の項目が表示された第２の機能選択手段とを備え、
前記表示制御手段は、前記第１の機能選択手段と前記第２の機能選択手段とを前記表示手段に同時に表示する機能を備え、
前記画像表示操作装置は、前記第１の機能選択手段により選択可能な機能と、前記第２の機能選択手段により選択可能な機能とを同時に選択可能とし、
前記第２の機能選択手段は、前記第１の機能選択手段に係る機能に関連する機能を実行可能に関連付けられており、
前記第１の機能選択手段は、前記第１の機能選択手段のそれぞれの機能に関連する機能を実行可能に関連付けられた詳細設定手段を備え、
前記第１の機能選択手段において特定の機能が選択されたときには、前記表示制御手段は、前記特定の機能に関連付けられた詳細設定手段を前記表示手段に表示するものであり、
前記第２の機能選択手段は、前記詳細設定手段のそれぞれの機能に関連する機能を実行可能に関連付けられた関連機能選択手段を備え、
前記詳細設定手段において特定の機能が選択されたときには、前記表示制御手段は、前記第２の機能選択手段を前記特定の機能に関連付けられた前記関連機能選択手段に切り換えて表示するものであることを特徴とするものである。
【００１７】
また、本発明は、前記関連機能選択手段において特定の機能が選択されたときには、前記表示制御手段により、前記特定の機能に関連付けられた詳細設定手段を前記表示手段に表示することが好ましい。
【００１８】
また、本発明は、前記第１の機能選択手段を、仕上げ処理を設定する機能を実行可能に関連付けられる構成として、前記表示制御手段の構成として、前記仕上げ処理を設定する機能に基づく画像の仕上がり状態を表示する仕上がり状態表示手段を備え、さらに、前記仕上がり状態表示手段により前記画像の仕上がり状態を表示するとともに、前記第２の機能選択手段を表示する機能を備えることが好ましい。
【００１９】
本発明において、仕上げ処理とは、画像形成装置において画像形成終了後に出力される際に、後処理装置により画像が形成された用紙を束ねるステープルやパンチ等を行う処理を含むものとする。
【００２０】
また、本発明は、前記第２の機能選択手段を、前記仕上げ処理を設定する機能に関連する機能を実行可能に関連付けられる構成として、前記表示制御手段の構成として、前記第２の機能選択手段における前記仕上げ処理を設定する機能に関連する機能から選択された機能に基づく処理を、前記仕上がり状態表示手段により表示された画像に反映させるようにすることが好ましい。
【００２１】
また、本発明は、前記機能選択手段の構成として、画像出力を指示する機能を実行可能に関連付けられた画像出力指示手段を備え、前記表示制御手段の構成として、前記仕上がり状態表示手段により画像の仕上がり状態を表示するときに、前記画像出力指示手段を前記第２の機能選択手段に近接して表示するようにすることが好ましい。
【発明の効果】
【００２２】
本発明によれば、画像形成装置において実行される複数の機能を実行可能に関連付けられた機能選択手段と、前記機能選択手段を表示する表示手段と、前記機能選択手段を前記表示手段に表示させる機能を有する表示制御手段とを具備する画像表示操作装置を備える画像形成装置において、前記機能選択手段の構成として、前記画像形成装置において選択された動作モードに応じて選択可能な機能の項目が表示された第１の機能選択手段と、前記第１の機能選択手段に係る機能以外で同時に選択可能なその他の機能の項目が表示された第２の機能選択手段とを備え、前記表示制御手段の構成として、前記第１の機能選択手段と前記第２の機能選択手段とを前記表示手段に同時に表示する機能を備え、前記画像表示操作装置の構成として、前記第１の機能選択手段により選択可能な機能と、前記第２の機能選択手段により選択可能な機能とを同時に選択可能とすることで、装置に搭載されている多彩な便利な機能の存在を理解するとともに、それらの機能からユーザの所望する機能を容易に選択でき、操作ミスなどによりミスコピーを無くすことができる、操作性の向上を図った画像形成装置を提供することができる。
【００２３】
また、本発明によれば、前記第２の機能選択手段を、前記第１の機能選択手段に係る機能に関連する機能を実行可能に関連付けられるものとすることで、少ない操作手順で同じ機能を選択可能にできる。
【００２４】
また、本発明によれば、前記第１の機能選択手段の構成として、前記第１の機能選択手段のそれぞれの機能に関連する機能を実行可能に関連付けられた詳細設定手段を備え、前記第１の機能選択手段において特定の機能が選択されたときには、前記表示制御手段により、前記特定の機能に関連付けられた詳細設定手段を前記表示手段に表示することで、少ない操作手順で必要な機能を選択可能にできる。
【００２５】
また、本発明によれば、前記第２の機能選択手段の構成として、前記詳細設定手段のそれぞれの機能に関連する機能を実行可能に関連付けられた関連機能選択手段を備え、前記詳細設定手段において特定の機能が選択されたときには、前記表示制御手段により、前記第２の機能選択手段を前記特定の機能に関連付けられた前記関連機能選択手段に切り換えて表示することで、少ない操作手順で同じ機能を選択可能にできる。
【００２６】
また、本発明によれば、前記関連機能選択手段において特定の機能が選択されたときには、前記表示制御手段により、前記特定の機能に関連付けられた詳細設定手段を前記表示手段に表示することで、少ない操作手順で同じ機能を選択可能にできる。
【００２７】
また、本発明によれば、前記第１の機能選択手段を、仕上げ処理を設定する機能を実行可能に関連付けられる構成として、前記表示制御手段の構成として、前記仕上げ処理を設定する機能に基づく画像の仕上がり状態を表示する仕上がり状態表示手段を備え、さらに、前記仕上がり状態表示手段により前記画像の仕上がり状態を表示するとともに、前記第２の機能選択手段を表示する機能を備えることで、前記第１の機能選択手段により選択された機能による画像の仕上がり状態を表示した上で、前記第２の機能選択手段により他の機能の存在を知らしめるとともに、その他の機能を選択可能とすることができる。
【００２８】
また、本発明によれば、前記第２の機能選択手段を、前記仕上げ処理を設定する機能に関連する機能を実行可能に関連付けられる構成として、前記表示制御手段の構成として、前記第２の機能選択手段における前記仕上げ処理を設定する機能に関連する機能から選択された機能に基づく処理を、前記仕上がり状態表示手段により表示された画像に反映させるようにすることで、画像の仕上がり状態を容易に確認することができる。
【００２９】
また、本発明によれば、前記機能選択手段の構成として、画像出力を指示する機能を実行可能に関連付けられた画像出力指示手段を備え、前記表示制御手段の構成として、前記仕上がり状態表示手段により画像の仕上がり状態を表示するときに、前記画像出力指示手段を前記第２の機能選択手段に近接して表示するようにすることで、選択操作を容易にすることができる。
【図面の簡単な説明】
【００３０】
【図１】本発明の実施形態に係る画像形成装置の全体の構成を示す説明図である。
【図２】前記画像形成装置の内部構成を簡略化して示す説明図である。
【図３】前記画像形成装置のハードウェア構成を示す機能ブロック図である。
【図４】前記画像形成装置のタッチパネルディスプレイの表示領域を示す説明図である。
【図５】前記タッチパネルディスプレイに表示される画面例を示す説明図である。
【図６】前記タッチパネルディスプレイを構成する表示パネルの表示態様の一例を示す説明図である。
【図７】前記画像形成装置における操作ユニットの構成を示すブロック図である。
【図８】前記操作ユニットを構成するタッチパネルディスプレイの構成を示すブロック図である。
【図９】（ａ）から（ｅ）は前記画像形成装置におけるタッチパネルディスプレイのアクションパネル領域に表示される第２の機能選択手段の項目の一例を示す説明図である。
【図１０】（ａ）は前記画像形成装置のコピーモードにおけるタッチパネルディスプレイのアクションパネル領域に表示される第２の機能選択手段の初期状態の項目の一例を示す説明図、（ｂ）前記画像形成装置のコピーモードにおいて両面コピーが選択設定された後の第２の機能選択手段の項目の一例を示す説明図である。
【図１１】（ａ）は前記画像形成装置のコピーモードにおけるタッチパネルディスプレイのアクションパネル領域に表示される第２の機能選択手段の初期状態の項目の一例を示す説明図、（ｂ）前記画像形成装置のコピーモードにおいて両面コピーが選択設定された後の不必要な項目を削除して必要な項目を追加表示した第２の機能選択手段の項目の一例を示す説明図である。
【図１２】実施例１の画像形成装置におけるモード選択を行うホーム画面の一例を示す説明図である。
【図１３】前記画像形成装置におけるコピーモードの初期画面を示す説明図である。
【図１４】前記画像形成装置において原稿読込みが終了した後のコピーモードの初期画面を示す説明図である。
【図１５】前記画像形成装置のコピーモードにおいて両面コピーを選択するときの表示画面を示す説明図である。
【図１６】前記画像形成装置において両面コピーが選択された後に両面コピーに関する詳細設定画面と関連機能選択画面が表示された状態を示す説明図である。
【図１７】前記関連機能選択画面において集約コピーを選択した後に集約コピーに関する詳細設定画面が表示された状態を示す説明図である。
【図１８】前記集約コピーに関する詳細設定画面において出力形態を選択した後に出力形態に応じた仕上がり画像のレイアウトが表示された状態を示す説明図である。
【図１９】実施例２の画像形成装置におけるコピーモードにおいて両面コピーを選択するときの表示画面を示す説明図である。
【図２０】前記画像形成装置において両面コピーが選択された後に両面コピーに関する詳細設定画面と関連機能選択画面が表示された状態を示す説明図である。
【図２１】前記詳細設定画面において両面コピーの画像がプレビュー表示された状態を示す説明図である。
【図２２】前記関連機能選択画面において集約コピーを選択した後に集約コピーに関する詳細設定画面が表示された状態を示す説明図である。
【図２３】前記集約コピーに関する詳細設定画面において出力形態を選択した後に出力形態に応じた仕上がり画像のレイアウトが表示された状態を示す説明図である。
【図２４】比較例における画像形成装置のコピーモードにおいて両面コピーを選択するときの表示画面を示す説明図である。
【図２５】前記画像形成装置において両面コピーが選択された後に両面コピーに関する詳細設定画面と関連機能選択画面が表示された状態を示す説明図である。
【図２６】前記詳細設定画面において設定が終了した後に前記詳細設定画面を消去する操作を示す説明図である。
【図２７】前記画像形成装置のコピーモード画面に戻って次の操作画面を表示する操作を示す説明図である。
【図２８】前記画像形成装置の表示パネルに機能設定画面が表示された状態を示す説明図である。
【図２９】前記関連機能選択画面において集約コピーを選択した後に集約コピーに関する詳細設定画面が表示された状態を示す説明図である。
【図３０】前記集約コピーに関する詳細設定画面において出力形態を選択した後に出力形態に応じた仕上がり画像のレイアウトが表示された状態を示す説明図である。
【発明を実施するための形態】
【００３１】
以下、本発明の実施形態について図面を参照して説明する。
図１は発明を実施する形態の一例であって、本発明の実施形態に係る画像形成装置の全体の構成を示す説明図、図２は前記画像形成装置の内部構成を簡略化して示す説明図、図３は前記画像形成装置のハードウェア構成を示す機能ブロック図、図４は前記画像形成装置のタッチパネルディスプレイのプレビュー表示領域を示す説明図、図５は前記タッチパネルディスプレイに表示される画面例を示す説明図である。
【００３２】
本発明の実施形態は、図１に示すように、画像データを追加入力する機能を有する原稿読取部１０２と、原稿読取部１０２により入力された画像データに基づいて記録媒体上に画像を形成する画像形成部１０４と、画像データに基づいてプレビュー画像を表示する表示パネル（表示手段）１３２と原稿読取部１０２から入力される画像データに基づく表示画像を表示パネル１３２上にプレビュー表示する機能を有するとともに画像形成部１０４により記録媒体上に出力される画像の画像出力条件を設定する機能を有する操作ユニット（画像表示操作装置）１２０とを備える画像形成装置１００において、操作ユニット１２０の構成として、本発明に係る画像表示操作装置の構成を採用したものである。
【００３３】
画像表示操作装置として機能する操作ユニット１２０は、画像形成部１０４により出力される画像の画像出力条件を設定する機能を備えて、出力される画像の画像出力条件を表示パネル１３２上で設定するように構成されている。
【００３４】
表示パネル１３２に表示される複数原稿画像は、画像形成装置１００の原稿読取部などから取り込まれた原稿画像の形態をプレビュー表示するものであり、且つ、画像形成部から記録用紙上に形成される画像の出力形態を仕上がりプレビュー画像として表示するものである。
【００３５】
本実施形態に係る画像形成装置１００は、画像処理装置の１種である画像形成装置である。本発明に係る画像表示操作装置の適用は、このような画像形成装置以外の画像処理装置または電子機器であっても構わない。
【００３６】
また、本実施形態に係る画像形成装置１００は、複数の動作モードを備え、その動作モードが切り換えられて表示機器の画面が切り換えられた場合において、ユーザが画面構成を覚えていなくても、ユーザが求める情報をユーザが容易に取得することができるように、情報を表示する表示機器を備えた装置であればよい。
【００３７】
なお、本実施形態に係る画像形成装置１００は、ジェスチャー操作方法とジェスチャー操作によらないタッチ操作方法とにより操作が可能なタッチパネルディスプレイ（操作画面）を備えるとするが、タッチ操作のみが可能なタッチパネルディスプレイを備える装置であってもよく、さらには、操作が不可能な表示のみ可能な表示パネルおよび操作用のボタンを備える装置であってもよい。
【００３８】
この画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置１００は、さらにネットワークプリンタモードを備えていても構わない。
【００３９】
また、本発明はこれに限定されず、動作モード毎に画面が切り換わる画像形成装置であれば構わない。また、印刷方式は電子写真方式に限定されない。
【００４０】
まず、本発明の実施形態に係る画像形成装置１００について説明する。
本実施形態に係る画像形成装置１００は、図１に示すように、原稿読取部１０２、画像形成部１０４、給紙部１０６、排紙処理装置１０８、および、操作ユニット１２０を備える。
操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル（タッチ操作認識手段）１３４とで構成される。表示操作部１４０は、表示灯１４２と、電源キー１４４と、省エネルギーキー（以下「省エネキー」と記載）１４６と、動作モードを選択するホーム画面ヘタッチパネルディスプレイ１３０の表示画面を戻すためのホームキー１４８とで構成される。
【００４１】
このように画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。
【００４２】
なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。このような画像形成装置１００の動作モードについて説明する。
【００４３】
（コピーモード）
以下において、画像形成装置１００のコピーモードでの動作について説明する。
このコピーモードにおいては、主として、原稿読取部（以下、「スキャナ部」と称する。）１０２および画像形成部１０４が動作する。
【００４４】
画像形成装置１００においては、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データが画像形成部１０４へと出力される。
【００４５】
画像形成部１０４は、図２に示すように、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００４６】
画像形成部１０４には、主搬送路２３６および反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００４７】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行われる。
【００４８】
感光体ドラム２２２は、一方向に回転し、その表面は、クリーニング装置２３２と除電装置によりクリーニングされた後、帯電装置２２４により均一に帯電される。
【００４９】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００５０】
現像装置２２８は、トナーを感光体ドラム２２２の表面に供給して静電潜像を現像し、トナー像を感光体ドラム２２２の表面に形成する。
【００５１】
転写装置２３０は、当該転写装置２３０と感光体ドラム２２２との間を通過していく記録用紙に感光体ドラム２２２の表面のトナー像を転写する。
【００５２】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、例えば、このヒータへ供給される電力が停止されたり削減されたりする。
【００５３】
主搬送路２３６と反転搬送路２３８との接続位置には、分岐爪２４４が配設されている。記録用紙の片面のみに印刷が行われる場合は、分岐爪２４４が位置決めされ、この分岐爪２４４により定着装置２３４からの記録用紙が排紙トレイ２４６または排紙処理装置１０８の方へと導かれる。
【００５４】
記録用紙の両面に印刷が行われる場合は、分岐爪２４４が所定方向に回動されて記録用紙が一旦排紙トレイ２４６側へ導かれた後、スイッチバック搬送されて反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行われて排紙トレイ２４６または排紙処理装置１０８の方へと導かれる。
【００５５】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００５６】
排紙処理装置１０８では、複数の記録用紙を各排紙トレイ１１０に仕分けして排出する処理、各記録用紙にパンチングする処理、および各記録用紙にステープルする処理を施す。例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット１１１によるパンチング処理またはステープルユニット１１２によるステープル処理を施して印刷物を作成する。
【００５７】
（ファクシミリモード）
以下において、ファクシミリモードでの動作について説明する。
このファクシミリモードにおいては、図３に示すように、主として、送信動作は原稿読取部（スキャナ部）１０２およびＦＡＸ通信部１６０が動作することにより、受信動作はＦＡＸ通信部１６０および画像形成部１０４が動作する。
【００５８】
（送信動作）
画像形成装置１００においては、ファクシミリモードを指定して、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データがＦＡＸ通信部（図３のＦＡＸ通信部１６０）へと出力される。
【００５９】
図３に示すように、送信側の画像形成装置１００のＦＡＸ通信部１６０は、指定された送信側の回線を指定された送信先に接続して、画像データをファクシミリ通信規格に合致した通信データへ変換して、受信側のファクシミリ装置（例えばファクシミリ機能を備えた画像形成装置１００）へ送信する。
【００６０】
（通信動作）
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側および受信側で互いに実装されている能力情報の受渡しを行ない、利用可能な最大能力での通信速度および画像データの符号化・符号訂正方式などを決定してモデムの通信方式を設定する。この通信方式にあわせた画像信号静式を用いて、送信側の画像形成装置１００のＦＡＸ通信部１６０から受信側の画像形成装置１００のＦＡＸ通信部１６０ヘデータを送信する。送信が終了すると回線が切断される。
【００６１】
（受信動作）
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００６２】
次に、画像形成装置１００の制御ブロック構成について図面を参照して説明する。
図３に示すように、画像形成装置１００は、さらに、コピーモード、ファクシミリモードとして装置が搭載する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００６３】
画像形成装置１００は、さらに、原稿読取部１０２、画像形成部１０４、ＦＡＸ通信部１６０、操作ユニット１２０、ＲＯＭ３０６、ハードディスク３０２、およびＲＡＭ３０８に接続されるパス３１０と、パス３１０に接続された、画像形成装置としての一般的機能を実現するためのＣＰＵ３００とを含む。
【００６４】
ハードディスク３０２には、この画像形成装置１００でスキャンした原稿の画像データのファイルが記憶される。また、ハードディスク３０２には、各動作モードの初期画面データが記憶されている。（ハードディスク３０２でなくてもＲＯＭ３０６に記憶させておくことも可能）
【００６５】
ＲＯＭ３０６には、画像形成装置１００の動作を制御するのに必要なプログラムおよびデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラムおよびデータに従って画像形成装置１００の制御を行うとともに画像形成装置１００の各機能に関する制御を実行する。
【００６６】
図３に示すように、この画像形成装置１００のＦＡＸ通信部１６０には、画像データの送受信用に公衆回線が接続され、ネットワークインターフェイス３０４には、ネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００６７】
ＲＡＭ３０８は、ＣＰＵ３００による演算および処理の結果を一時的に記憶するワーキングメモリとしての機能と、画像データを記憶するフレームメモリとしての機能とを提供する。
【００６８】
原稿読取部１０２、画像形成部１０４、操作ユニット１２０を構成するタッチパネルディスプレイ１３０および表示操作部１４０、ならびにＲＯＭ３０６、ハードディスク３０２、およびＲＡＭ３０８に対する制御は、ＣＰＵ３００が所定のプログラムを実行することにより行われる。なお、操作ユニット１２０は、入出力インターフェイスを介してＣＰＵ３００と通信する。
【００６９】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６およびホームキー１４８）が、備えられている。タッチパネルディスプレイ１３０および表示操作部１４０は、操作ユニット１２０が全体として一体となるように構成されている。
【００７０】
上述したように、このタッチパネルディスプレイ１３０は、表示パネル１３２と、表示パネル１３２に重ねて配置されたタッチパネル１３４とで構成される。
【００７１】
このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２のプレビュー表示領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行われる。この画像形成装置１００はこのようなタッチ操作（ユーザによる押圧位置に基づくコマンド入力操作）に加えて、上述したジェスチャー操作（ユーザによる操作軌跡に基づくコマンド入力操作）にも対応している。
【００７２】
また、表示操作部１４０の表示灯１４２は、例えばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（例えば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。なお、電源キー１４４、省エネキー１４６およびホームキー１４８を押下したときの処理はこれらに限定されるものではない。
【００７３】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。例えば、このキーランプは、円型のキーの５周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００７４】
本実施形態に係る画像形成装置１００においては、上述した２つの動作モード（コピーモード、ファクスモード）を備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００７５】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示するという本発明の本質的部分を備える。特にこの画像形成装置１００においては、主たる表示操作デバイスとして設けられたタッチパネルディスプレイ１３０のホーム画面において動作モードを選択すると、各動作モードの初期画面が表示される。
【００７６】
この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線および指先の動線が実現されるために）容易に設定が可能で、（２）異なる動作モードであっても５つの領域のそれぞれに表示される概念は同じものであって、動作モードが異なってもユーザが混乱することなく操作が可能である。
以下に、このような基本レイアウトの構成について説明する。
【００７７】
まず、画像形成装置１００のタッチパネルディスプレイ１３０における基本レイアウトについて図面を参照して説明する。
タッチパネルディスプレイ１３０の基本レイアウトは、図４に示すように、横長のタッチパネルディスプレイ１３０において（例えば、横１０２４ピクセル×縦６００ピクセル）、最上部に配置されたシステム領域１０００、画面中央部に配置されたプレビュー領域（プレビュー表示領域）３０００、プレビュー領域３０００の左側に配置された機能設定／確認領域２０００（以下、機能選択領域２０００と記載する）、プレビュー領域３０００の右上部に配置されたアクションパネル領域４０００、および、プレビュー領域３０００の右下部に配置されたタスクトリガー領域（操作キー表示領域）５０００で構成される。
【００７８】
なお、タッチパネルディスプレイ１３０における領域の数は５つに限定されるものではなく、左右の並びもこれに限定されず、例えば、ユーザの利き手に応じて領域の左右の配置を逆にしても構わない。また、システム領域１０００の位置は最下部であっても構わない。また、状態もしくは設定によっては表示されなくても構わない。
【００７９】
システム領域１０００には、この画像形成装置１００の現時点での状態が表示され、操作中の動作モードのタイトル、画像形成装置１００の状況・状態が表示される。例えば、システム領域１０００には、動作モード名、割り込みキー、ログインユーザ名、処理中のジョブ状況、内蔵メモリ使用状態、時刻等が表示される。
【００８０】
機能選択領域２０００には、各機能の設定、表示の切り換え、設定の確認のためにユーザにより操作される機能選択メニュー（アイコン、ボタン等）が、アイコンモード、レギュラーモードおよびエキスプレスモードで表示態様を変更して、表示される。アイコンモードにおいては、プレビュー領域３０００が最も広くなるように機能選択領域２０００には機能設定用のアイコンのみが表示される。エキスプレスモードにおいては、プレビュー領域３０００が最も狭くなっても機能選択領域２０００には機能を一度に設定できる画面が大きく表示される。レギュラーモードにおいては、プレビュー領域３０００の大きさはアイコンモードとエキスプレスモードとの中間の大きさであって、機能選択領域２０００には機能設定のアイコンとともに機能名称がテキスト表示される。
【００８１】
これらのアイコンモード、レギュラーモードおよびエキスプレスモードの切り換えはユーザの操作に基づく。すなわち、プレビュー領域３０００の大きさが、ユーザの操作に応じて変更して表示される。このように、アイコンは、小さい領域でユーザへの情報を伝達することができるので、全ての機能に対して準備しておいて、プレビュー領域３０００が大きく表示できることが好ましい。
【００８２】
この機能選択領域２０００には、その下部に機能選択領域２０００の表示スタイルを変更する変更ボタン群２０１０を備える。変更ボタン群２０１０には、アイコンモードで機能選択領域２０００を表示するアイコンモード移行ボタン２０１２、「お気に入り」登録した機能を表示させるお気に入りボタン２０１４、設定が変更された機能を表示させるチェックボタン２０１６、選択されている動作モードにおいて設定可能な全ての機能の一覧を表示するリストボタン２０１８、レギュラーモードで機能選択領域２０００を表示するレギュラーモード移行ボタン２０２０、および、エキスプレスモードで機能選択領域２０００を表示するエキスプレスモード移行ボタン２０２２が配置されている。
【００８３】
なお、機能選択領域２０００に表示される情報が多い場合には、この機能選択領域２０００において上下方向に移動可能に情報が表示される。この場合において、この変更ボタン群２０１０は移動されないで、機能選択領域２０００の最下部に常に表示される。
【００８４】
プレビュー領域３０００には、原稿の出力（仕上がり）イメージが表示される。ダミーデータまたはスキャンデータを用いてイメージ表示し、ユーザが仕上がりを変更する毎にプレビュー領域３０００に表示されているイメージが変更される。このプレビュー領域３０００においては、スキャン前のバーチヤルモードでのダミーイメージでの仕上がり表示、スキャン後のスキャンインモードでの実イメージでの仕上がり表示の２つのモードを有し、さらにバーチヤルモードには、原稿セット前および原稿セット後の２種類がある。
【００８５】
このプレビュー領域３０００には、その下部にプレビュー領域３０００の表示スタイルを変更するプレビュー変更ボタン群３０１０を備える。プレビュー変更ボタン群３０１０には、プレビューを左に９０度回転させる左回転ボタン３０１６、プレビューを右に９０度回転させる右回転ボタン３０１８、ズームバー３０２０が配置されている。これら以外にも、例えばカラー変更ボタン３０１２およびプレビュー操作ボタン３０１４が配置されている。
【００８６】
ここで、左回転ボタン３０１６を１回タッチ操作するとプレビューが左に９０度回転されて、２回タッチ操作するとプレビューが左に１８０度回転される（上下反転）。また、プレビュー領域に表示された仕上がり原稿イメージをジェスチャー操作しても（指先で原稿イメージを反時計回転方向に１８０度回転させても）、プレビューが左に１８０度回転されて上下反転される。
【００８７】
右回転ボタン３０１８を１回タッチ操作するとプレビューが右に９０度回転されて、２回タッチ操作するとプレビューが右に１８０度回転される（上下反転）。また、プレビュー領域に表示された仕上がり原稿イメージをジェスチャー操作しても（指先で原稿イメージを時計回転方向に１８０度回転させても）、プレビューが右に１８０度回転されて上下反転される。
【００８８】
ズームバー３０２０のプラスボタン３０２０Ａをタッチ操作したり、バー３０２０Ｃをプラスボタン３０２０Ａ側へジェスチャー操作（ドラッグまたはスライド）したりすると、プレビューが拡大して表示される。また、プレビュー領域に表示された仕上がり原稿イメージをジェスチャー操作しても（指先で原稿イメージをピンチアウト／ピンチオープンさせても）、プレビューが拡大して表示される。
【００８９】
ズームバー３０２０のマイナスボタン３０２０Ｂをタッチ操作したり、バー３０２０Ｃをマイナスボタン３０２０Ｂ側ヘジェスチャー操作（ドラッグまたはスライド）したりすると、プレビューが縮小して表示される。また、プレビュー領域に表示された仕上がり原稿イメージをジェスチャー操作しても（指先で原稿イメージをピンチイン／ピンチクローズさせても）、プレビューが縮小して表示される。
【００９０】
なお、プレビュー領域３０００に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。なお、原稿イメージをスライドタッチ（フリック操作）してもプレビューされる原稿のページ送り、ページ戻しを行うことができる。また、プレビュー領域３０００に表示される原稿イメージが大きい場合には、タッチ操作またはジェスチャー操作可能なスクロールバーを表示するようにしても構わない。
【００９１】
アクションパネル領域４０００には、操作についての補助・助言・提案についての情報が表示される。このアクションパネル領域４０００には、例えば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【００９２】
タスクトリガー領域５０００には、その動作モードにおける全ての設定が完了して、この画像形成装置１００を実際に動作させるためにユーザにより操作されるトリガー一項目が表示される。例えば、処理を開始させるためのスタートボタン（ソフトウェアボタン）である。なお、印字を伴う動作モード（ファクス送信以外）において、消耗品切れについての情報も、タスクの実行不可に関連するので、この「タスクトリガー領域」に表示される。
【００９３】
この場合において、スタートボタンが押下できる状態の場合にのみ、スタートボタンを表示することも好ましい。スタートボタンが押下できる状態とは、印字を伴う動作モードの場合には、全ての設定が終了してかつ消耗品（記録用紙およびトナー）切れでない状態であって、印字を伴わない動作モードであるファクスモード（送信）の場合には、宛先を含む全ての送信パラメータの設定が終了した状態である。
【００９４】
これらの５領域は、動作モードが変更されても（どの動作モードの初期画面においても）、その配置された位置は変更されない。また、機能選択領域２０００（およびプレビュー領域３０００）におけるアイコンモード／レギュラーモード／エキスプレスモードの切り換え表示のように、領域はタッチパネルディスプレイ１３０の画面横方向（長手方向）に伸縮してサイズが変化する。
【００９５】
このような５領域の配置は、従来機におけるユーザインターフェイスをも考慮しつつ、ユーザの視点の動線および操作の動線に着目して配置されている。このような配置により、タッチパネルディスプレイ１３０において、左上から右下へユーザの視線が動いて、左上から右下へユーザの操作（利き手の指先）が動く。
【００９６】
なお、ある動作モードから他の動作モードへ遷移するためには、ホームキー１４８を押下して、ホーム画面において他の動作モードを選択する。このように、ホーム画面を経由して、動作モードが切り換えられる。
【００９７】
（コピーモードの初期画面表示動作）
コピーモードが選択されると、ハードディスク３０２等から読出したコピー初期画面データを用いてタッチパネルディスプレイ１３０にコピーモードの初期画面が表示される。
このとき、例えば、タッチパネルディスプレイ１３０には、図５に示すように、コピーモード初期画面７１００が表示される。コピーモード初期画面７１００は、上述したレイアウト構成の５領域に分割されて情報が表示される。
【００９８】
コピーモード初期画面７１００のシステム領域１０００には、図５に示すように、選択されている動作モード（ここではコピーモード）を示すエリア１１０２、選択された動作モードに付随するサブ情報を表示するエリア１１０４、ログインユーザ名を表示するエリア１１０６、ログアウトボタン（ソフトウェアボタン）が表示されるエリア１１０８、現在実行中のジョブ状況を表示するエリア１１１０、ジョブ状況に関係するボタン（ソフトウェアボタン）が表示されるエリア１１１２、通信状態が表示されるエリア１１１４、現在時刻が表示されるエリア１１１６が配置されている。
【００９９】
エリア１１０２には、動作モードを示す名称または／およびアイコンが表示される。
このエリア１１０２をタッチ操作、タップ操作またはダブルタップ操作すると、動作モードを示すメニューがプルダウン表示されて動作モードを切り換えることができるようにすることも好ましい（他の動作モードにおいても同じ）。
【０１００】
エリア１１０４には、サブ情報として、割り込みキー（ソフトウェアボタン）が表示される。この割り込みキーをタッチ操作、タップ操作またはダブルタップ操作すると、コピーモードにおいて割り込み処理を実行することができる。
【０１０１】
エリア１１１２には、現在実行中のジョブ状況がアイコンで表示される。このジョブ状況をタッチ操作、タップ操作またはダブルタップ操作すると、詳細なジョブ状況情報が表示される。さらに、エリア１１１２には、選択されたジョブを停止させるボタン等を表示することも好ましい。
【０１０２】
コピーモード初期画面７１００の機能選択領域２０００には、コピーモードにおいてユーザが選択できる機能選択メニュー２１００および上述した変更ボタン群２０１０が表示されている。図５に示す画面では、レギュラーモードで機能選択メニューが表示されている。
【０１０３】
図５に示すように、レギュラーモードで表示される機能選択メニューは、アイコン群２１００とテキスト群２１２０とで構成される。この機能選択領域２０００に表示される機能選択メニューとして、コピー部数を設定するアイコン２１０２および設定された内容を表示するテキス卜２１２２、カラーモードを設定するアイコン２１０４および設定された内容を表示するテキスト２１２４、コピー濃度を設定するアイコン２１０６および設定された内容を表示するテキスト２１２６、コピー倍率を設定するアイコン２１０８および設定された内容を表示するテキスト２１２８、原稿の種類を設定するアイコン２１１０および設定された内容を表示するテキスト２１３０、用紙の種類を設定するアイコン２１１２および設定された内容を表示するテキスト２１３２、画像を編集するアイコン２１１４および設定された内容を表示するテキスト２１３４、レイアウトを編集するアイコン２１１６および設定された内容を表示するテキスト２１３６が表示されている。
【０１０４】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【０１０５】
ここで、画像編集とは、１ページの原稿に対する画像編集であって、さらに下位の階層メニューとして、枠消去、印字メニュー、ウォータマーク、ユーザスタンプ等があり、レイアウト編集とは、複数ページの原稿に対する画像編集であって、さらに下位の階層メニューとして、ページ集約、綴じしろ、ページ移動、センタリング等がある。これらのさらなる下位メニューは、アイコン２１０２〜アイコン２１１６またはテキスト２１２２〜テキス卜２１３６をタッチ操作、タップ操作またはダブルタップ操作すると、タッチパネルディスプレイ１３０に表示される。
【０１０６】
コピーモード初期画面７１００のプレビュー領域３０００には、原稿の出力（仕上がり）イメージ３１００および上述したプレビュー変更ボタン群３０１０が配置されている。このとき、ダミーデータまたはスキャンデータを用いてイメージ３１００が表示され、ユーザが機能選択領域２０００の機能設定メニューを変更する毎に、イメージ３１００が変更されてプレビュー領域３０００に表示される（プレビューの表示が変更）。
【０１０７】
コピーモード初期画面７１００のアクションパネル領域４０００には、コピー操作についての補助・助言・提案についての情報が表示されている。ここでは、図５に示すように、このユーザが選択したコピーモードにおけるおすすめ機能が表示される。このとき、アクションパネル領域４０００は、表示されている情報の内容を示すエリア４１００、それ自体がソフトウェアボタンとしておすすめ機能をテキスト表示するエリア４１０２〜エリア４１０６が配置されている。
【０１０８】
エリア４１０２をタッチ操作、タップ操作またはダブルタップ操作すると、省エネコピーについてのさらに詳細な情報がプルダウン表示される。例えば、このとき、「両面印刷すると用紙を節約できます」というテキストとともに両面コピーの機能設定画面へ遷移するソフトウェアボタンと、「複数の原稿を集約して印刷すると用紙を節約できます」というテキストとともにページ集約の機能設定画面へ遷移するソフトウェアボタンと、「本のように綴じられるように印刷することができます」というテキストとともに中綴じの機能設定画面へ遷移するソフトウェアボタンとが、表示される。
【０１０９】
コピーモード初期画面７１００のタスクトリガー領域５０００には、実行ボタン群５１００が表示される。この実行ボタン群５１００として、原稿をスキャンして画像データを取得するように画像形成装置１００を作動させるスキャンインキー（ソフトウェアボタン）５１０２、設定した機能をクリアするクリアオールキー（ソフトウェアボタン）５１０４、原稿をスキャンしてモノクロコピーを実行するように画像形成装置１００を作動させるモノクロスタートキー（ソフトウェアボタン）５１０６、原稿をスキャンしてカラーコピーを実行するように画像形成装置１００を作動させるカラースタートキー（ソフトウェアボタン）５１０８が配置されている。
【０１１０】
このように、５つの領域に分割して情報が表示されたコピーモード初期画面７１００において、ユーザが要求を入力すると、その要求に従ってコピー処理が実行される。
【０１１１】
次に、本実施形態の画像形成装置１００の特徴的な構成について図面を参照して説明する。
図６は本実施形態の画像形成装置のタッチパネルディスプレイを構成する表示パネルの表示態様の一例を示す説明図である。
【０１１２】
本実施形態の画像形成装置１００は、図６に示すように、タッチパネルディスプレイ１３０において、プレビュー領域３０００が画面中央部に配置され、そのプレビュー領域３０００の左側に機能選択領域２０００が配置される。また、プレビュー領域３０００の右上部にアクションパネル領域４０００が配置され、そのアクションパネル領域４０００の下部にタスクトリガー領域５０００が配置される。
【０１１３】
プレビュー領域３０００には、初期画面では仮想テンキー３００１と、装置全体をイメージするミミック表示３００２が表示されている。
【０１１４】
タスクトリガー領域５０００には、実行ボタン群（画像出力指示画面）５１００が表示される。
実行ボタン群５１００として、スキャンインキー５１０２、クリアオールキー５１０４、モノクロスタートキー５１０６、カラースタートキー５１０８が配置されている。
【０１１５】
次に、本実施形態の画像形成装置１００における操作ユニット１２０の特徴的な構成について図面を参照して説明する。
図７は本実施形態の画像形成装置における操作ユニットの構成を示すブロック図、図８は前記操作ユニットを構成するタッチパネルディスプレイの構成を示すブロック図である。
【０１１６】
本実施形態に係る操作ユニット１２０は、図７に示すように、表示パネル１３２、タッチパネル１３４に加えて、操作位置検出手段１３５、画面表示手段１３６、表示画像生成手段１３７及び操作ユニット１２０における処理・動作を制御する操作ユニット側制御部（表示制御手段）１３１を備えている。
【０１１７】
画像形成装置１００は、画像データを入力する原稿読取部１０２、画像処理手段１０３、原稿読取部１０２から入力される画像データを蓄積する蓄積手段１０５、プリンタや送信部などの画像を出力する画像出力手段１０７を備えて、主制御部１０１により動作制御される。
【０１１８】
原稿読取部１０２は、所望の原稿（画像データ）の読取りを終了した後に、さらに新たな原稿の追加読取り（追加入力）を可能とする追加読取り機能を備えている。
【０１１９】
操作位置検出手段１３５は、タッチパネル１３４上で行われる操作位置を検出する。
画面表示手段１３６は、表示画像生成手段１３７により形成された画像を表示パネル１３２上に表示する。
【０１２０】
表示画像生成手段１３７は、画像形成装置１００本体に入力された画像データに基づき操作ユニット側制御部１３１からの指示により所定の画像を形成するとともに、仕上げ処理の設定に応じた仕上がり状態の画像を形成する機能を備えている。
【０１２１】
操作ユニット側制御部１３１は、画像形成装置１００本体の主制御部１０１に接続され、タッチパネルディスプレイ１３０における制御部として機能する。
【０１２２】
ここで、特徴的な操作ユニット側制御部１３１について詳細に説明する。
操作ユニット側制御部１３１は、図８に示すように、原稿読取部１０２から読取られた原稿に基づく表示画像をタッチパネルディスプレイ１３０上にプレビュー表示するプレビュー表示機能と、プレビュー表示された複数ページの表示画像を移動表示するスクロール表示機能とを備えている。
【０１２３】
さらに、操作ユニット側制御部１３１は、画像形成装置において実行される複数の機能を実行可能に関連付けられた機能選択手段１３１０を備えている。そして、機能選択手段１３１０を表示パネル１３２に表示させる機能を備えている。
【０１２４】
機能選択手段１３１０は、画像形成装置１００において選択された動作モードに応じて選択可能な機能の項目が表示された第１の機能選択手段１３１１と、第１の機能選択手段１３１１に係る機能以外で同時に選択可能なその他の機能の項目が表示された第２の機能選択手段１３１２とを備えている。
【０１２５】
第１の機能選択手段１３１１は、仕上げ処理を設定する機能を実行可能に関連付けられている。そして、第１の機能選択手段１３１１のそれぞれの機能に関連する機能を実行可能に関連付けられた詳細設定手段１３１１ｎを備えている。
【０１２６】
第２の機能選択手段１３１２は、仕上げ処理を設定する機能に関連する機能を実行可能に関連付けられている。そして、第１の機能選択手段１３１１に係る機能に関連する機能を実行可能に関連付けられている。さらに、第１の機能選択手段１３１１の詳細設定手段１３１１ｎのそれぞれの機能に関連する機能を実行可能に関連付けられた関連機能選択手段１３１２ｎを備えている。
【０１２７】
さらに、操作ユニット側制御部１３１は、図６に示すように、第１の機能選択手段１３１１と第２の機能選択手段１３１２とを表示パネル１３２に同時に表示する機能を備えている。そして、第１の機能選択手段１３１１により選択可能な機能と、第２の機能選択手段１３１２により選択可能な機能とを同時に選択可能とするように構成されている。
【０１２８】
また、操作ユニット側制御部１３１は、第１の機能選択手段１３１１において特定の機能が選択されたときには、特定の機能に関連付けられた詳細設定手段を表示パネル１３２に表示し、第１の機能選択手段１３１１において特定の機能が選択されたときには、第２の機能選択手段１３１２を特定の機能に関連付けられた関連機能選択手段に切り換えて表示するようにされている。
【０１２９】
さらに、操作ユニット側制御部１３１は、関連機能選択手段において特定の機能が選択されたときには、特定の機能に関連付けられた詳細設定手段を表示パネル１３２に表示するようにされている。
【０１３０】
また、操作ユニット側制御部１３１は、仕上げ処理を設定する機能に基づく画像の仕上がり状態を表示する仕上がり状態表示手段１３２０を備え、仕上がり状態表示手段１３２０により前記画像の仕上がり状態を表示するとともに、第２の機能選択手段１３１２を表示する機能を備えている。
【０１３１】
さらに、操作ユニット側制御部１３１は、第２の機能選択手段１３１２における仕上げ処理を設定する機能に関連する機能から選択された機能に基づく処理を、仕上がり状態表示手段１３２０により表示された画像に反映させる機能を備えている。
【０１３２】
また、操作ユニット側制御部１３１は、仕上がり状態表示手段１３２０により画像の仕上がり状態を表示するときに、実行ボタン群（画像出力指示手段）５１００を第２の機能選択手段１３１２に近接して表示するように構成されている。
【０１３３】
次に、画像形成装置１００のタッチパネルディスプレイ１３０上の機能選択領域２０００に表示される第１の機能選択手段１３１１と、アクションパネル領域４０００に表示される第２の機能選択手段１３１２について説明する。
【０１３４】
コピーモードの初期画面においては、図６に示すように、第１の機能選択手段１３１１は、機能選択メニュー画面として、複数の機能、具体的には、部数、カラーモード、コピー濃度、倍率、原稿サイズ、用紙サイズ、両面コピー、ステープル（仕上げ処理）をそれぞれ設定する機能に関連付けられた操作キーが機能選択領域２０００の上側より下側に向って表示されている。
【０１３５】
第２の機能選択手段１３１２は、第１の機能選択手段１３１１において特定された機能に関連する機能を選択するメニュー画面として、複数の機能に関連付けられた操作キーがアクションパネル領域４０００の上側より下側に向って表示されている。
【０１３６】
ここで、アクションパネル領域４０００に表示される第２の機能選択手段１３１２の表示内容について、例を挙げて説明する。
図９（ａ）から（ｅ）は本実施形態の画像形成装置におけるタッチパネルディスプレイのアクションパネル領域に表示される第２の機能選択手段の項目の一例を示す説明図である。
【０１３７】
第１の機能選択手段１３１１における「カラーモード」に関連する第２の機能選択手段１３１２ａは、図９（ａ）に示すように、「お気に入りへの登録」、「両面コピー」、「ページ集約」、「ステープル」、「綴じ代」、「枠消去」の選択項目を備えたものである。
【０１３８】
第１の機能選択手段１３１１における「両面コピー」に関連する第２の機能選択手段１３１２ｂは、図９（ｂ）に示すように、「お気に入りへの登録」、「編集モード、章分け指定」、「ページ集約」、「綴じ代」、「ステープル」、「カラーモード」、「白紙飛ばし」の選択項目を備えたものである。
【０１３９】
図９（ａ），（ｂ）において、符号Ａで示す項目は、使用頻度が高いと想定される機能であり、操作の回数を削減することを主眼としたものである。
符号Ｂで示す項目は、併せて使用すると便利な機能であり、ユーザに対して使い方を提案するものである。
符号Ｃで示す項目は、「おすすめ機能」であり、ユーザに対して機能の存在をアピールするものである。
【０１４０】
また、図９（ｂ）に示すように、表示範囲ラインＤより下方に位置する項目は、次ページ（２ページ目）に配置される。すなわち、アクションパネル領域４０００の広さの関係で、表示可能な項目が限られてしまう。従って、表示しきれない項目は、スクロール表示により繰り出すようにしてもよい。
【０１４１】
その他の例として、「綴じ代」に関連する第２の機能選択手段１３１２ｃは、図９（ｃ）に示すように、「お気に入りへの登録」、「ステープル」、「パンチ」、「両面コピー」、「用紙」、「下地消去」の選択項目を備えたものである。
【０１４２】
図９（ｃ）において、符号ｃ１で示す項目は、機械的な関連が強い機能であって、綴じ代を選択したということは、印刷後ひとまとめにする可能性が高く、ステープルやパンチを使う可能性が高いと想定される。従って、機能的な関連が高い機能を並設して構成することで、スムーズに操作を行えるように配慮している。
【０１４３】
また、「表紙／合い紙」に関連する第２の機能選択手段１３１２ｄは、図９（ｄ）に示すように、「お気に入りへの登録」、「ページ集約」、「ステープル」、「両面コピー」、「カラーモード」、「綴じ代」の選択項目を備えたものである。
【０１４４】
図９（ｄ）において、符号ｄ１で示す項目は、新機能のアピールするものであって、従来では「表紙/合い紙」機能との組み合わせ不可だったが、このように構成することで設定が可能になる。そのため、従来のユーザに対して新しい機能の追加をアピールすることを目的としている。
【０１４５】
また、「原稿枚数カウント」に関連する第２の機能選択手段１３１２ｅは、図９（ｅ）に示すように、「お気に入りへの登録」、「白紙飛ばし」、「大量原稿モード」、「両面コピー」、「ページ数印刷」、「原稿サイズ」の選択項目を備えたものである。
【０１４６】
図９（ｅ）において、符号ｅ１で示す項目は、タッチ操作で機能をON/OFFさせるものであって、他の画面に遷移しないで、「大量原稿モード」の機能のON/OFFを行うことができる。
【０１４７】
また、符号ｅ２で示す項目は、子機能への遷移するものである。大部分の項目は親機能への遷移だが、この項目は子機能へ遷移する。親機能とは、機能のトップ画面への遷移のことを示す。ここでは、図示しない「印字メニュー」に関する画面が親機能となる。子機能とは、機能内の小項目のことを示す。ここでは、「印字メニュー」に関する画面の中の「ページ数印字」の項目が子機能となる。
【０１４８】
すなわち、第２の機能選択手段１３１２の項目の設定は、親機能ばかりにジャンプするのではなく、親機能の中の子機能にまでジャンプするように構成することで、大幅なタッチ数削減と階層の深いところの機能の存在をアピールすることができる。これにより、ユーザに対して画像形成装置１００の備える機能を推奨することで、より設定、操作がし易くなる。
【０１４９】
次に、アクションパネル領域４０００に表示される第２の機能選択手段１３１２の切り換え表示について、例を挙げて説明する。
図１０（ａ）は本実施形態の画像形成装置のコピーモードにおけるタッチパネルディスプレイのアクションパネル領域に表示される第２の機能選択手段の初期状態の項目の一例を示す説明図、（ｂ）前記画像形成装置のコピーモードにおいて両面コピーが選択設定された後の便利な機能を表示して操作手順を少なくできる第２の機能選択手段の項目の一例を示す説明図である。
【０１５０】
まず、通常の初期状態のメニュー画面から、便利な機能が表示されて少ない操作手順を可能にするメニュー画面への切り換えについて説明する。
【０１５１】
画像形成装置１００のコピーモードにおけるタッチパネルディスプレイ１３０上の第２の機能選択手段１３１２（ａ）の初期状態のメニュー画面は、図１０（ａ）に示すように、「倍率自動選択」（ａ）１、「プログラム呼び出し」（ａ）２、「印刷同時送信」（ａ）３、「自動一時保存」（ａ）４、「ファイリング」（ａ）５、「設定呼び出し」（ａ）６、「エコプログラム」（ａ）７、「用紙節約とは？」（ａ）８、「プレビューとは？」（ａ）９、「設定確認するには？」（ａ）１０の項目を備えている。
【０１５２】
画像形成装置１００のコピーモードにおいて、両面コピーが選択設定された後の第２の機能選択手段１３１２（ｂ）のメニュー画面は、図１０（ｂ）に示すように、「裏面１８０度回転」（ｂ）１、「倍率自動選択」（ａ）１、「プログラム登録」（ｂ）２、「印刷同時送信」（ａ）３、「自動一時保存」（ａ）４、「ファイリング」（ａ）５の項目に切り換えられる。
【０１５３】
すなわち、両面コピーが選択設定された後の第２の機能選択手段１３１２（ｂ）のメニュー画面では、初期状態の第２の機能選択手段１３１２（ａ）のメニュー画面における「プログラム呼び出し」（ａ）２、「設定呼び出し」（ａ）６、「エコプログラム」（ａ）７、「用紙節約とは？」（ａ）８、「プレビューとは？」（ａ）９、「設定確認するには？」（ａ）１０の項目が削除されて、「裏面１８０度回転」（ｂ）１と「プログラム登録」（ｂ）２の項目が追加されている。
【０１５４】
「裏面１８０度回転」（ｂ）１、詳しくは、「裏面の向きを１８０度回転する」という機能は、例えば、原稿読込時に、読込み設定を間違って設定してしまい、読込み原稿の裏面の向きが反対になってしまった場合に有効な機能である。従って、両面コピーが設定された時に表示することで、「裏面１８０度回転」（ｂ）１の機能の存在をユーザにアピールすることで、操作を助け、１タッチで機能をON/OFFすることで、メニュー画面を移動することなく操作を行うことができるという、簡便な操作を実現することができる。
【０１５５】
このように、「裏面１８０度回転」（ｂ）１という機能は、便利な機能であるが、本来は機能選択領域２０００に表示されるメニュー画面から「両面コピー」の項目を選択して押下し、両面コピーダイアログ（図示省略）を表示させないと操作不可能な機能であり、階層に埋もれてしまい気付きにくい機能となっている。
【０１５６】
そこで、図１０（ｂ）に示すように、第２の機能選択手段１３１２（ｂ）のメニュー画面に「裏面１８０度回転」（ｂ）１の項目を追加することで、便利な機能を少ない操作で実行することが可能になる。
【０１５７】
次に、通常の初期状態のメニュー画面から、必要のない機能を削除して必用な機能を表示するメニュー画面への切り換えについて説明する。
図１１（ａ）は本実施形態の画像形成装置のコピーモードにおけるタッチパネルディスプレイのアクションパネル領域に表示される第２の機能選択手段の初期状態の項目の一例を示す説明図、（ｂ）前記画像形成装置のコピーモードにおいて両面コピーが選択設定された後の不必要な項目を削除して必要な項目を追加表示した第２の機能選択手段の項目の一例を示す説明図である。
【０１５８】
画像形成装置１００のコピーモードにおけるタッチパネルディスプレイ１３０上の第２の機能選択手段１３１２（ａ）の初期状態のメニュー画面は、図１１（ａ）に示すように、「倍率自動選択」（ａ）１、「プログラム呼び出し」（ａ）２、「印刷同時送信」（ａ）３、「自動一時保存」（ａ）４、「ファイリング」（ａ）５、「設定呼び出し」（ａ）６、「エコプログラム」（ａ）７、「用紙節約とは？」（ａ）８、「プレビューとは？」（ａ）９、「設定確認するには？」（ａ）１０の項目を備えている。
【０１５９】
画像形成装置１００のコピーモードにおいて、設定を変更した場合、設定変更後の第２の機能選択手段１３１２（ｃ）のメニュー画面は、図１１（ｂ）に示すように、「倍率自動選択」（ａ）１、「プログラム登録」（ｃ）１、「印刷同時送信」（ａ）３、「自動一時保存」（ａ）４、「ファイリング」（ａ）５、「設定呼び出し」（ａ）６、「エコプログラム」（ａ）７、「用紙節約とは？」（ａ）８、「プレビューとは？」（ａ）９、「設定確認するには？」（ａ）１０の項目に切り換えられる。
【０１６０】
すなわち、第２の機能選択手段１３１２（ｃ）のメニュー画面においては、「プログラム呼び出し」は不可能となり、「プログラム登録」が可能な状態となる。従って、不必要な「プログラム呼び出し」（ａ）２を削除して、必要な「プログラム登録」（ｃ）１を追加表示することでメニュー画面が明確になる。
【０１６１】
次に、本実施形態の画像形成装置１００において、画像データをコピーモードで出力する場合について実施例に基づき図面を参照して説明する。
【０１６２】
（実施例１）
実施例１は、画像形成装置１００において、片面原稿を両面コピーで出力するものである。
図１２は実施例１の画像形成装置におけるモード選択を行うホーム画面の一例を示す説明図、図１３は前記画像形成装置におけるコピーモードの初期画面を示す説明図、図１４は前記画像形成装置において原稿読込みが終了した後のコピーモードの初期画面を示す説明図、図１５は前記画像形成装置のコピーモードにおいて両面コピーを選択するときの表示画面を示す説明図、図１６は前記画像形成装置において両面コピーが選択された後に両面コピーに関する詳細設定画面と関連機能選択画面が表示された状態を示す説明図、図１７は前記関連機能選択画面において集約コピーを選択した後に集約コピーに関する詳細設定画面が表示された状態を示す説明図、図１８は前記集約コピーに関する詳細設定画面において出力形態を選択した後に出力形態に応じた仕上がり画像のレイアウトが表示された状態を示す説明図である。
【０１６３】
画像形成装置１００において、コピーを行う場合は、図１２に示すように、タッチパネルディスプレイ１３０に表示されるホーム画面１３０１上でコピーのアイコン１３０１ｃを選択する。
【０１６４】
画像形成装置１００においてコピーのアイコン１３０１ｃが選択されると、画像形成装置１００はコピーモードに入り、タッチパネルディスプレイ１３０には、図１３に示すように、画面左側に配置された機能選択領域２０００に、コピーモードに係る機能が表示された第１の機能選択手段１３１１が表示され、画面右側に配置されたアクションパネル領域４０００に、第１の機能選択手段１３１１に係る機能以外で同時に選択可能なその他の機能の項目が表示された第２の機能選択手段１３１２が表示される。画面中央部のプレビュー領域３０００には、初期画面では仮想テンキー３００１と、装置全体をイメージするミミック表示３００２が表示されている。
【０１６５】
このとき、画像形成装置１００において、既に画像データが入力されている場合は、図１４に示すように、プレビュー領域３０００には、読込まれた画像データに基づく画像Ｐ１がプレビュー表示される。
【０１６６】
第１の機能選択手段１３１１は、「カラーモード」、「コピー濃度」、「倍率」、「原稿サイズ」、「用紙サイズ」、「両面コピー」、「仕上げ」の選択項目を備えている。
【０１６７】
第２の機能選択手段１３１２は、「倍率自動選択」、「ジョブプログラム」、「ファイリング」、「同時に送信」、「セクションの挿入」、「セクションの削除」の選択項目を備えている。
【０１６８】
そして、図１５に示すように、第１の機能選択手段１３１１の選択項目から両面コピーを選択すると、図１６に示すように、機能選択領域２０００とプレビュー領域３０００の前面に重なるように、両面コピーの機能に関連する機能に関連付けられた両面コピー機能詳細設定画面（詳細設定手段）１３１１ａが表示される。
【０１６９】
このとき、アクションパネル領域４０００には、第２の機能選択手段１３１２に換って、両面コピーの機能に関連付けられた第１関連機能選択画面（関連機能選択手段）１３１２ａ１が表示される。
【０１７０】
両面コピー機能詳細設定画面１３１１ａは、「片面→片面」、「片面→両面」、「両面→両面」、「両面→片面」、「裏面１８０度回転」の選択項目とプレビュー領域１３１１ａ１を備えている。
【０１７１】
第１関連機能選択画面１３１２ａ１は、「集約コピー」、「綴じ代」、「中とじ」、「ステープル」、「パンチ」の選択項目を備えている。
【０１７２】
片面原稿を両面コピーで出力する場合は、図１６に示すように、両面コピー機能詳細設定画面１３１１ａにおいて、「片面→両面」を選択する。このとき、両面コピー機能詳細設定画面１３１１ａのプレビュー領域１３１１ａ１には、出力される画像の仕上がり状態がプレビュー表示される。
【０１７３】
そして、第１関連機能選択画面１３１２ａ１において、図１６に示すように、「集約コピー」を選択すると、図１７に示すように、機能選択領域２０００とプレビュー領域３０００の前面にページ集約機能詳細設定画面１３１１ｂが表示され、第１関連機能選択画面１３１２ａ１の換わりに、第２関連機能選択画面（関連機能選択手段）１３１２ａ２が表示される。
【０１７４】
ページ集約機能詳細設定画面１３１１ｂは、「ＯＦＦ」、「２ページ」、「４ページ」、「８ページ」の選択項目とプレビュー領域１３１１ｂ１を備えている。
【０１７５】
第２関連機能選択画面１３１２ａ２は、「両面コピー」、「カラーモード」、「中とじ」、「ステープル」、「パンチ」の選択項目を備えている。
【０１７６】
そして、ページ集約機能詳細設定画面１３１１ｂにおいて、「２ページ」を選択すると、図１８に示すように、ページ集約機能詳細設定画面１３１１ｂのプレビュー領域１３１１ｂ１には、２ページ（２ｉｎ１）に対応した複数のパターンのページレイアウトが表示される。
【０１７７】
そして、複数のページレイアウトの中から特定のパターンを選択して、カラースタートキー５１０８をタッチ操作することでカラーコピーが実行される。
このようにして、コピーモードにおけるコピーの設定と実行が行われる。
【０１７８】
（実施例２）
実施例２は、画像形成装置１００において、両面原稿を両面コピーで出力するものである。
図１９は実施例２の画像形成装置におけるコピーモードにおいて両面コピーを選択するときの表示画面を示す説明図、図２０は前記画像形成装置において両面コピーが選択された後に両面コピーに関する詳細設定画面と関連機能選択画面が表示された状態を示す説明図、図２１は前記詳細設定画面において両面コピーの画像がプレビュー表示された状態を示す説明図、図２２は前記関連機能選択画面において集約コピーを選択した後に集約コピーに関する詳細設定画面が表示された状態を示す説明図、図２３は前記集約コピーに関する詳細設定画面において出力形態を選択した後に出力形態に応じた仕上がり画像のレイアウトが表示された状態を示す説明図である。
【０１７９】
画像形成装置１００において、両面コピーを行う場合は、図１９に示すように、コピーモードの画面において、第１の機能選択手段１３１１の選択項目から両面コピーを選択すると、図２０に示すように、機能選択領域２０００とプレビュー領域３０００の前面に重なるように、両面コピーの機能に関連する機能に関連付けられた両面コピー機能詳細設定画面１３１１ａが表示される。
【０１８０】
このとき、アクションパネル領域４０００には、第２の機能選択手段１３１２に換って、両面コピーの機能に関連付けられた第１関連機能選択画面１３１２ａ１が表示される。
【０１８１】
両面原稿を両面コピーで出力する場合は、図２０に示すように、両面コピー機能詳細設定画面１３１１ａにおいて、「両面→両面」を選択する。このとき、両面コピー機能詳細設定画面１３１１ａのプレビュー領域１３１１ａ１には、図２１に示すように、出力される画像の仕上がり状態がプレビュー表示される。
【０１８２】
そして、第１関連機能選択画面１３１２ａ１において、図２１に示すように、「集約コピー」を選択すると、図２２に示すように、機能選択領域２０００とプレビュー領域３０００の前面にページ集約機能詳細設定画面１３１１ｂが表示され、第１関連機能選択画面１３１２ａ１の換わりに、第２関連機能選択画面１３１２ａ２が表示される。
【０１８３】
そして、ページ集約機能詳細設定画面１３１１ｂにおいて、「２ページ」を選択すると、図２３に示すように、ページ集約機能詳細設定画面１３１１ｂのプレビュー領域１３１１ｂ１には、２ページ（２ｉｎ１）に対応した複数のパターンのページレイアウトが表示される。
【０１８４】
そして、複数のページレイアウトの中から特定のパターンを選択して、カラースタートキー５１０８をタッチ操作することでカラーコピーが実行される。
このようにして、コピーモードにおけるコピーの設定と実行が行われる。
【０１８５】
（比較例）
次に、比較例として、画像形成装置１００において、従来の一般的な操作により画像データをコピーモードで出力する場合について図面を参照して説明する。
図２４は画像形成装置のコピーモードにおいて両面コピーを選択するときの表示画面を示す説明図、図２５は前記画像形成装置において両面コピーが選択された後に両面コピーに関する詳細設定画面と関連機能選択画面が表示された状態を示す説明図、図２６は前記詳細設定画面において設定が終了した後に前記詳細設定画面を消去する操作を示す説明図、図２７は前記画像形成装置のコピーモード画面に戻って次の操作画面を表示する操作を示す説明図、図２８は前記画像形成装置の表示パネルに機能設定画面が表示された状態を示す説明図、図２９は前記関連機能選択画面において集約コピーを選択した後に集約コピーに関する詳細設定画面が表示された状態を示す説明図、図３０は前記集約コピーに関する詳細設定画面において出力形態を選択した後に出力形態に応じた仕上がり画像のレイアウトが表示された状態を示す説明図である。
【０１８６】
画像形成装置１００において、タッチパネルディスプレイ１３０には、図２４に示すように、画面左側に配置された機能選択領域２０００に、コピーモードに係る機能が表示された第１の機能選択手段１３１１が表示され、画面右側に配置されたアクションパネル領域４０００に、第１の機能選択手段１３１１に係る機能以外で同時に選択可能なその他の機能の項目が表示された第２の機能選択手段１３１２が表示される。画面中央部のプレビュー領域３０００には、初期画面では仮想テンキー３００１と、装置全体をイメージするミミック表示３００２が表示されている。
【０１８７】
従来方式により両面コピーを行う場合は、第１の機能選択手段１３１１の選択項目から両面コピーを選択すると、図２５に示すように、機能選択領域２０００とプレビュー領域３０００の前面に重なるように、両面コピーの機能に関連する機能に関連付けられた両面コピー機能詳細設定画面１３１１ａが表示される。
【０１８８】
両面原稿を両面コピーで出力する場合は、図２５に示すように、両面コピー機能詳細設定画面１３１１ａにおいて、「両面→両面」を選択する。このとき、両面コピー機能詳細設定画面１３１１ａのプレビュー領域１３１１ａ１には、図２６に示すように、出力される画像の仕上がり状態がプレビュー表示される。
【０１８９】
次に、ページを集約してコピーするように設定する場合は、図２７に示すように、両面コピー機能詳細設定画面１３１１ａを表示パネル１３２上から消去して、コピーモードの画面上の特別機能キー１３１５をタッチ操作により選択して、図２８に示すように、コピーモードの画面上に機能設定画面１３１６を表示させる。機能設定画面１３１６は、「ページ集約」を含むその他の機能に関連付けられた選択項目を備えている。
【０１９０】
そして、機能設定画面１３１６において、「ページ集約」をタッチ操作により選択すると、図２９に示すように、機能選択領域２０００とプレビュー領域３０００の前面にページ集約機能詳細設定画面１３１１ｂが表示される。
【０１９１】
そして、ページ集約機能詳細設定画面１３１１ｂにおいて、「２ページ」を選択すると、図３０に示すように、ページ集約機能詳細設定画面１３１１ｂのプレビュー領域１３１１ｂ１には、２ページ（２ｉｎ１）に対応した複数のパターンのページレイアウトが表示される。
【０１９２】
そして、複数のページレイアウトの中から特定のパターンを選択して、カラースタートキー５１０８をタッチ操作することでカラーコピーが実行される。
このようにして、コピーモードにおけるコピーの設定と実行が行われる。
【０１９３】
上述したように、実施例２においては、設定開始から出力するまでのユーザによる操作回数は、図１９〜図２３に示すように、６回のタッチ操作となる。一方、比較例においては、設定開始から出力するまでのユーザによる操作回数は、図２４〜図３０に示すように、８回のタッチ操作となる。従って、実施例２によれば、従来よりも簡単な操作で効率良く画像出力の設定を行うことができる。
【０１９４】
以上のように構成したので、本実施形態によれば、入力された画像データに基づいて出力される画像の画像出力条件を設定する機能を有する操作ユニット１２０を備える画像形成装置１００において、操作ユニット１２０の処理・動作を制御する操作ユニット側制御部１３１の構成として、第１の機能選択手段１３１１(両面コピー機能詳細設定画面１３１１ａ、ページ集約機能詳細設定画面１３１１ｂ)と、第２の機能選択手段１３１２（第１関連機能選択画面１３１２ａ１、第２関連機能選択画面１３１２ａ２）とを備えて、タッチパネルディスプレイ１３０上に第１の機能選択手段１３１１と第２の機能選択手段１３１２とを同時に表示して、第１の機能選択手段１３１１により選択可能な機能と、第２の機能選択手段１３１２により選択可能な機能とを同時に選択可能としたことで、装置に搭載されている多彩な便利な機能（おすすめ機能）の存在を確認でき、それらの機能からユーザの所望する機能を容易に選択できるので、従来よりも簡単な操作で効率良く画像出力の設定を行うことができる。これにより、操作ミスなどによるミスコピーを低減でき、操作性の向上を図った画像形成装置を実現できる。
【０１９５】
すなわち、本実施形態では、第１の機能選択手段１３１１に対応して第２の機能選択手段１３１２を表示し、第１の機能選択手段１３１１の機能に対応して両面コピー機能詳細設定画面１３１１ａを表示するときに両面コピー機能詳細設定画面１３１１ａに関連する第１関連機能選択画面１３１２ａ１を表示するようにし、さらに、両面コピー機能詳細設定画面１３１１ａの機能に対応してページ集約機能詳細設定画面１３１１ｂを表示するときにページ集約機能詳細設定画面１３１１ｂに関連する第２関連機能選択画面１３１２ａ２を表示するようにしたので、選択された機能の詳細設定を容易に確認、選択できるとともに、選択された機能に関連する機能を容易に確認、選択できる。これにより、操作画面の切り換えを少なくできるので、操作ミスを低減して効率良く機能の選択、設定を行うことができる。
【０１９６】
尚、上述した実施形態や実施例では、本発明に係る操作ユニット１２０を図１に示すような画像形成装置１００に適用した例について説明したが、複数の機能を実行可能に関連付けられた機能選択画面（機能選択手段）を備えて出力される画像の画像出力条件を設定する機能を有する操作ユニット（画像表示操作装置）を備える画像形成装置であれば、上述したような構成の画像形成装置や複写機に限定されるものではなく、その他の画像形成装置等に展開が可能である。
【０１９７】
以上のように、本発明は、上述した実施形態や実施例に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１９８】
１００  画像形成装置
１０１  主制御部
１０２  原稿読取部
１０３  画像処理手段
１０４  画像形成部
１０５  蓄積手段
１０７  画像出力手段
１２０  操作ユニット（画像表示操作装置）
１３０  タッチパネルディスプレイ（表示手段）
１３１  操作ユニット側制御部（表示制御手段）
１３２  表示パネル（表示手段）
１３４  タッチパネル
１３５  操作位置検出手段
１３６  画面表示手段
１３７  表示画像生成手段
１０００  システム領域
１３０１  ホーム画面
１３０１ｃ  アイコン
１３１０  機能選択手段
１３１１  第１の機能選択手段
１３１１ａ  両面コピー機能詳細設定画面（詳細設定手段）
１３１１ａ１，１３１１ｂ１  プレビュー領域
１３１１ｂ  ページ集約機能詳細設定画面（詳細設定手段）
１３１１ｎ  詳細設定手段
１３１２，１３１２ａ，１３１２（ａ），１３１２ｂ，１３１２（ｂ），
１３１２ｃ，１３１２（ｃ），１３１２ｄ，１３１２ｅ  第２の機能選択手段
１３１２ａ１  第１関連機能選択画面（関連機能選択手段）
１３１２ａ２  第２関連機能選択画面（関連機能選択手段）
１３１２ｎ  関連機能選択手段
１３１５  特別機能キー
１３１６  機能設定画面
１３２０  仕上がり状態表示手段
２０００  機能選択領域
３０００  プレビュー領域
４０００  アクションパネル領域
５０００  タスクトリガー領域
５１０２  スキャンインキー
５１０４  クリアオールキー
５１０６  モノクロスタートキー
５１０８  カラースタートキー
【図１】
0005226054.tif 000002
【図２】
0005226054.tif 000003
【図３】
0005226054.tif 000004
【図４】
0005226054.tif 000005
【図５】
0005226054.tif 000006
【図６】
0005226054.tif 000007
【図７】
0005226054.tif 000008
【図８】
0005226054.tif 000009
【図９】
0005226054.tif 000010
【図１０】
0005226054.tif 000011
【図１１】
0005226054.tif 000012
【図１２】
0005226054.tif 000013
【図１３】
0005226054.tif 000014
【図１４】
0005226054.tif 000015
【図１５】
0005226054.tif 000016
【図１６】
0005226054.tif 000017
【図１７】
0005226054.tif 000018
【図１８】
0005226054.tif 000019
【図１９】
0005226054.tif 000020
【図２０】
0005226054.tif 000021
【図２１】
0005226054.tif 000022
【図２２】
0005226054.tif 000023
【図２３】
0005226054.tif 000024
【図２４】
0005226054.tif 000025
【図２５】
0005226054.tif 000026
【図２６】
0005226054.tif 000027
【図２７】
0005226054.tif 000028
【図２８】
0005226054.tif 000029
【図２９】
0005226054.tif 000030
【図３０】
0005226054.tif 000031